(57)【要約】【課題】スライド式ヒンジのスライド可能域の略中間に第３固定位置を付加し、第３固定位置からの離脱をＮ磁極及びＳ磁極の反発力とばねのアシスト力の合力で行うメリハリのある開閉動作と中間位置の確保を目的とする。【解決手段】スライド式ヒンジが少なくとも弾性体と磁石とを有し、前記第１筐体と前記第２筐体とが相対移動を可能にすると共に該第１筐体と第２筐体とが完全に閉じられた第１固定位置から該第２筐体を全開にする第２固定位置までのスライド可能域に対し、前記第２筐体がスライド可能域の中間位置で一時的に固定される第３固定位置が新たに付加されたスライド型ヒンジ機構である。【選択図】図２
2010154439.tif 000002
【特許請求の範囲】
【請求項１】
操作部を備えた第１筐体と画像を表示する液晶部を備えた第２筐体とをスライド式ヒンジによって連接したスライド型ヒンジ機構であって、前記スライド式ヒンジが少なくとも弾性体と磁石とを有し、前記第１筐体と前記第２筐体とが相対移動を可能にすると共に該第１筐体と第２筐体とが完全に閉じられた第１固定位置から該第２筐体を全開にする第２固定位置までのスライド可能域に対し、前記第２筐体がスライド可能域の中間位置で一時的に固定される第３固定位置が新たに付加されることを特徴とするスライド型ヒンジ機構。
【請求項２】
前記弾性体としてはトーションばねを使用し、前記スライド式ヒンジの第１筐体用スライド部材と第２筐体用スライド部材の夫々に前記トーションばねの端部を回転可能に係止し、前記第３固定位置を該トーションばねによる反発力がスライド可能域において最大となる位置に設定し、当該位置に前記第１筐体用スライド部材と第２筐体用スライド部材に対して相互に吸引力を発揮するようにＮ，Ｓ磁極が対面して配置された磁石を設置したことを特徴とする請求項１記載のスライド型ヒンジ機構。
【請求項３】
前記磁石は、保磁力（Ｈcj）が８００ＫＡ／ｍ（１０ｋｏｅ）以上で、長方体形状であって、板厚方向の上下面にＮおよびＳ磁極が着磁されていることを特徴とする請求項１又は２に記載したスライド型ヒンジ機構。
【請求項４】
前記磁石は、第１及び第２筐体用スライド部材の移動方向に対して直角に長方体の磁石を対面してお互いがＮ磁極及びＳ磁極を有するように配置し、吸引力を発揮するように構成したことを特徴とする請求項１乃至３のいずれか一に記載したスライド型ヒンジ機構。
【請求項５】
前記磁石は、第１及び第２筐体用スライド部材の移動方向に対して直角に２体の長方体形状の磁石を並列に配置し、その２つの磁石表面が互いにＮ磁極及びＳ磁極を示す配置とし、前記第１及び第２筐体用スライド部材に配置された前記磁石間でＮ磁極及びＳ磁極を対面して配置することによって、吸引力が発揮されるようにしたことを特徴とする請求項１乃至３のいずれか一に記載したスライド型ヒンジ機構。
【発明の詳細な説明】
【技術分野】
【０００１】
本発明は、一般にキーボード等の操作部を備えた本体部と画像を表示する液晶部とからなる携帯電話等の電子機器に用いられるヒンジ機構に関し、本体部と液晶部とが互いにスライド可能な状態で連接されたスライド型機器に使用されるヒンジ機構に関する。かかるヒンジ機構は、ばねの反発力によりスライド域の中間より手前では筐体部を自動的に閉じる方向に逆に後側で自動的に全開する方向の力が発生し、ほぼ中間位置ではばねの反発荷重が最大で動作トルクの向きが変わりフリーストップ動作を示す遷移点を有している。
【背景技術】
【０００２】
スライド型電子機器、例えば携帯電話機に組み込まれた一般的なスライド型ヒンジ機構は、図５（ａ）に示すように液晶部４が閉じられた第１固定位置から、通話のために番号入力する際、メールのためにキーボード操作を必要とする際、若しくはカメラ操作する際等に、本体部を片手で保持すると共に液晶部を同じ手の特に親指を使用して３０〜５０ｍｍ程押し上げることよって、液晶部が開かれた第２固定位置（図５（ｂ））にする一連の操作を可能にする部品である。
【０００３】
従来におけるスライド型ヒンジ機構の動作は、図５（ａ）、（ｂ）で示す如くスライド型携帯電話１でキーボードが付いた第１筐体３に対して液晶が付いた第２筐体２を閉じた状態の第１固定位置［図５（ａ）］から押し開こうとすると、スライド可能域のほぼ中間地点では、ばねの反発力による吸い込みトルクによって閉じようとする力が第２筐体２に働き、中間地点より更に押し広げると第２筐体２に自動的に開放する力が作用し、図５（ｂ）のような全開した第２固定位置に達する。
【０００４】
また逆に液晶が付いた第２筐体２を指でもしくは手で第２固定位置から閉じる方向に戻す場合は、開く場合と逆の動作となる。この際に発生するトルクは、中間地点までは第２筐体２が開く方向に作用し、中間地点を越えると自動的に閉じる方向に作用する。
ここで、従来のスライド式ヒンジは、動作トルクをねじりトーションばねや圧縮ばねから発生する反発力（荷重）をアシスト力として利用するものがほとんどである。一般的に、ばねの配置はばねの片側を第１筐体３に係止し、他方側を第２筐体２に回転可能な状態で係止して使用する構成である。またスライド式ヒンジに使用されるばねは、必要十分なアシスト力を得るために、その形状、個数、荷重に工夫が必要である。
【０００５】
例えば、特許文献１、特許文献２に開示された機構が挙げられる。また近年、ＰＤＡやスマートフォンと称される横長の携帯機器に使用されるスライド式ヒンジも知られている。例えば、特許文献３等の技術が開示されている。また前記特許文献３には、スライド型ヒンジが閉じた状態若しくは全開した位置でのみキーボードが付いた第１筐体３と第２筐体２の結合を強くする目的でねじりトーションばねに更に磁石を組み合わせて使用した技術も開示されている。
上記の例は、いずれの場合も液晶が付いた第２筐体２の動きが完全に閉じた状態か若しくは全開した状態のいずれか一方の位置でのみ通話、メール等のキーボード操作、カメラ等の操作を行う技術が開示されており、液晶部を備えた第２筐体２がスライド可能域の中間に固定された位置で通話等を行うことが可能な技術についての開示はない。
更に、アシスト力をばねに代わる磁石のみの構成で吸引あるいは反発力を得る技術が知られている。例えば、特許文献４、特許文献６等が挙げられる。
【０００６】
特許文献４に開示された技術は、ばねを使用しない磁石のみの構成で、縦型携帯電話において第１筐体３と液晶部を備えた第２筐体２の双方の対面した縦方向の両側に沿ってＮ
、Ｓ磁極を有する棒状磁石を最大で３セット固定したものである。第２筐体２が閉じた、中間、開いた３段階の位置設定は、第２筐体２に固定された３セットの各磁石部間を第１筐体３に固定された１セットの磁石が吸引しながら順次移動することで実現できるとしている。この例は、スライド長の全長に渡りＮ、Ｓ磁極が交互に着磁された棒状磁石が配置されている。この方式は、強力な長尺磁石を配置しているので漏洩磁束を防ぐシールドが機器の誤動作防止や人体への配慮から不可欠である。
【０００７】
また特許文献５には、スライド駆動装置の上下筐体の中央部にシート状の大型磁石を対面状態に固着し、対面磁石が互いに反撥するように着磁され、この磁石による反発でスライド駆動装置の上下筐体が両端部に移動するアシスト力を得ている。しかし磁石は中央部に設置されているものの上下筐体がスライド途中の中間位置で磁力による吸引で停止する機構は開示されていない。
特許文献６には、磁極を対向させて配置し磁石間に働く斥力でスライド部を磁気浮上により両端部に移動させるもので、中間位置の停止措置をむしろ避けた構造である。
【０００８】
【特許文献１】米国２００５／０１１３１５４号公報
【特許文献２】特表２００８−５０１２８８号公報
【特許文献３】特開２００８−１１３０６７号公報
【特許文献４】国際公開ＷＯ２００４／１１２２６７号公報
【特許文献５】韓国（KR）１０−２００４−００９５３９２号公報
【特許文献６】特開２００８−１７００００号公報
【発明の開示】
【発明が解決しようとする課題】
【０００９】
本発明は、弾性体と磁石を併用し、開閉スライド式ヒンジのスライド可能域の略中間に第３固定位置を付加し、電子機器を操作するための固定位置を設けることを目的とする。
また第３固定位置を新たに磁石方式で設定したスライド式ヒンジの動きは、閉じ側と開き側を、原則として弾性体の反発力によるアシスト力によって、第３固定位置の保持はＮＳ磁極の吸引によって、更に第３固定位置からの離脱はＮ磁極及びＳ磁極の反発力と弾性体のアシスト力の合力で行い、ばね単体を用いた機構よりもメリハリのある開閉動作と中間位置の確保を目的とする。
【課題を解決するための手段】
【００１０】
従来のスライド式ヒンジにおけるねじりトーションばねは、スライド可能域の略中間地点において、ばねの荷重特性からみて動作点上で最大の荷重を発生する。本発明者は、この位置が荷重の向きが逆転する遷移点と認定し、この遷移点に第３固定位置を設定することを見出した。
【００１１】
図５に示すように、スライド式携帯電話においては、上記の遷移点においてトルクが発生するアシスト力はゼロになるため、第２筐体の動きは、停止（フリーストップ）もしくは緩慢な動きになる。実際の携帯電話機を使用すると、スライド動作の際の使用者における指に掛かる力は一連の動作の中で押上げ力が中間位置までは重く、中間地点を越えて軽く弾かれるように感じる。
そこで、本発明者は、上記の遷移点を第３固定位置とし、かかる第３固定位置における固定手段を設定することによって、携帯機器の利用可能性を大幅に向上させることに成功した。
具体的には、本発明は以下の構成を採用することによって上記課題を解決した。
【００１２】
（１）操作部を備えた第１筐体と画像を表示する液晶部を備えた第２筐体とをスライド式ヒンジによって連接したスライド型ヒンジ機構であって、前記スライド式ヒンジが少なく
とも弾性体と磁石とを有し、前記第１筐体と前記第２筐体とが相対移動を可能にすると共に該第１筐体と第２筐体とが完全に閉じられた第１固定位置から該第２筐体を全開にする第２固定位置までのスライド可能域に対し、前記第２筐体がスライド可能域の中間位置で一時的に固定される第３固定位置が新たに付加されることを特徴とするスライド型ヒンジ機構である。
本発明に用いられる弾性体としては、スライドアクチュエータを構成できるものであれば、いずれの弾性体を用いても良い。例えば、中央にフープを有するねじりトーションばねや、中央のフープが省略されたトーションばね、あるいは圧縮や引張コイルばね等が挙げられる。
【００１３】
（２）前記弾性体としてはトーションばねを使用し、前記スライド式ヒンジの第１筐体用スライド部材と第２筐体用スライド部材の夫々に前記トーションばねの端部を回転可能に係止し、前記第３固定位置を該トーションばねによる反発力がスライド可能域において最大となる位置に設定し、当該位置に前記第１筐体用スライド部材と第２筐体用スライド部材に対して相互に吸引力を発揮するようにＮ，Ｓ磁極が対面して配置された磁石を設置したことを特徴とする上記（１）記載のスライド型ヒンジ機構である。
（３）前記磁石は、保磁力（Ｈcj）が８００ＫＡ／ｍ（１０ｋｏｅ）以上で、長方体形状であって、板厚方向の上下面にＮおよびＳ磁極が着磁されていることを特徴とする上記（１）又は（２）に記載したスライド型ヒンジ機構である。
ここで、長方体形状の磁石における板厚は、１ｍｍ以下であるのが好ましい。
【００１４】
（４）前記磁石は、第１及び第２筐体用スライド部材の移動方向に対して直角に長方体の磁石を対面してお互いがＮ磁極及びＳ磁極を有するように配置し、吸引力を発揮するように構成したことを特徴とする上記（１）乃至（３）のいずれか一に記載したスライド型ヒンジ機構である。
（５）前記磁石は、第１及び第２筐体用スライド部材の移動方向に対して直角に２体の長方体形状の磁石を並列に配置し、その２つの磁石表面が互いにＮ磁極及びＳ磁極を示す配置とし、前記第１及び第２筐体用スライド部材に配置された前記磁石間でＮ磁極及びＳ磁極を対面して配置することによって、吸引力が発揮されるようにしたことを特徴とする上記（１）乃至（３）のいずれか一に記載したスライド型ヒンジ機構である。
【００１５】
本発明に係るスライド型ヒンジ機構は、ばねと磁石の構成によって上下の第１筐体と第２筐体とをスライド可能域の途中である第３固定位置で確実に停止させる構成を有する。
特に第３固定位置付近の動きは、スライド方向と直角方向に横細長の強力な磁石を配置するのが好ましい。このような構成によって、よりメリハリが付いたクリック感のある吸引移動を実現することができる。
【００１６】
また、かかる所定位置では、表面がＮ磁極及びＳ磁極に夫々着磁された対面磁石を用い、磁石間の吸引力によってスライドヒンジの上下筐体を保持することが可能であり、指による押し上げや押し下げ操作によって、第３固定位置より第１あるいは第２固定位置へ第２筐体を移動させることが可能となる。
また本発明に係るスライド型ヒンジ機構において使用される磁石は、保磁力（Ｈcj）が８００ＫＡ／ｍ（１０ｋＯｅ）以上のものが好ましい。例えば、減磁され難いレアース磁石が好ましい。
【００１７】
また前記磁石は、メリハリのある動きを確保するために薄板で幅の狭い棒形状で且つ板厚方向の上下面にＮ磁極とＳ磁極が着磁されたものを使用するのが好ましい。
さらにスライド方向に対し直角に配置する小形磁石は、漏れ磁束を防ぐ磁気シールド工法、コスト面から有利となる。
【００１８】
次に本発明に係るスライド型ヒンジ機構における移動距離（ｍｍ）とアシスト力（Ｎ）の関係を説明する。図４は縦軸にアシスト力を、横軸に移動距離をとった際のグラフを表わす。図中、スライド可能域が４０ｍｍ、ばねの遷移点が中間の２０ｍｍ（原点）、アシスト力（Ｎ）については中間までがプラスで遷移点以上がマイナスの荷重（Ｎ）表記で示している。
従来のスライド型ヒンジ機構のアシスト力特性は、図中で−２０ｍｍ位置に閉じ力Ｅを持って全閉した第１固定位置があり、＋２０ｍｍ位置に開き力Ｆを持って全開した第２固定位置を有する。スライド型ヒンジは、Ｅ−０（原点）−Ｆ間をスライド移動することになる。スライド型ヒンジは、−２０ｍｍと０間においてはアシスト力がプラスであるので、液晶を備えた第２筐体が閉じる方向に作用する。また０と２０ｍｍ間においては、逆にアシスト力がマイナスであるので第２筐体は全開する方向に自動的に動く状態にある。
【００１９】
特性曲線の原点近くのドット部（Ａ，Ｄ）とハッチング部（Ｂ，Ｃ）は、従来型と比べて本発明に係るスライド型ヒンジ機構に採用された磁石の効果を示すものである。ドット部（Ａ，Ｄ）は、第１筐体用スライド部材の磁石と第２筐体用スライド部材の磁石間で発生する同磁極による反発力を示す。また原点近くのハッチング部（Ｂ，Ｃ）は、同様に両磁石間で発生するＮＳ異磁極による吸引力を示している。
【００２０】
次に第１筐体用スライド部材が第２筐体用スライド部材に対して中間の第３固定位置で動きが固定される機構を説明する。従来のスライド式ヒンジと異なり図４の原点０に近づくにつれて両磁石間には、先ず反発力（Ａ）もしくは（Ｄ）に続き力の方向が逆である大きな吸引力（Ｂ）もしくは（Ｃ）が発生する。
このため第１筐体用スライド部材は、先ず反発力（Ａ）もしくは（Ｄ）により動きと逆方向の戻し力を受けるが、更に手で原点０側に押し上げ操作すると吸引力（Ｂ）もしくは（Ｃ）によりメリハリを持って原点０に強制移動させられ、固定する。
原点０（第３固定位置）から第１筐体用スライド部材を更に移動しようとすると吸引力（Ｂ，Ｃ）により原点０に復帰させようとする力が働く。本願の原点０付近で生じるメリハリのある動きは、スライド方向に対して垂直方向により幅の狭い直方体の両磁石を近接して配置したことによって、従来型と異なるアシスト力の急激な変化を与えることができる。
【００２１】
図５を用いて本発明に係るスライド型ヒンジ機構における筐体の動きを説明する。図５は本発明に係るスライド型ヒンジ機構が組み込まれたスライド型携帯電話１を示している。液晶を備えた第２筐体２、キーボードを備えた第１筐体３、液晶画面４、キーボード５、ファンクションキー部６、７、８、９、外部接続端子１０を有する。従来型の携帯電話１は、（ａ）で示す第２筐体２が閉じた第１固定位置から（ｂ）で示す第２筐体２が全開した第２固定位置間を第１筐体３に対して相対的に開閉移動するに過ぎなかった。
【００２２】
図５（ｃ），（ｄ），（ｅ）は、本発明に係るスライド型ヒンジ機構を組み込んだ携帯電話の動きを示す概念図である。
磁石の吸引力で中間に第３固定位置を新設した本発明に係るヒンジは、以下で述べる２通りの動きが可能なスライド式携帯電話を提供することができる。
第１は従来機の動きに対し中間に第３固定位置を追加し、図中の（ａ）←→第３固定位置（ｄ）←→（ｂ）間でキー操作等を行える３つの固定位置を構成したものである。
第２は中間の第３固定位置を全閉位置とすることで（ｄ）←→（ｃ）中間位置←→（ｅ）の動きを実現し、従来機では得られなかった液晶を備えた第２筐体２が中央を起点として上下に移動する動作を可能とした。
なお上述の説明では、携帯電話機が縦にスライドする場合を例示して説明したが、横スライド方式も可能である。更に携帯電話機に限らず、ＰＤＡ等の電子機器のスライド型ヒンジ機構として採用することも可能である。
【発明の効果】
【００２３】
本発明は、スライド式携帯機器の液晶部を備えた第２筐体の動きをスライド可能域の中間位置で新たに固定させることを可能にするという効果を奏する。また第２筐体が閉じた状態の位置、中間位置及び開いた状態の位置でそれぞれ通話、キーボード、カメラ等の操作が可能になり、またボタンやスイッチ等の配置や設定についても新たな利用形態の可能性を提供するという効果を奏する。
また中間の第３固定位置を第１筐体３と第２筐体２が閉じた位置に設定することによって、筐体部を上下に開く操作が可能になり、新たな利用形態の機種の開発も可能となる。
【００２４】
本発明は、スライド可能域における中間位置の利用を可能にすると効果を、弾性体と磁石とを併用することで達成とし、新しい動きやデザインバリエーションを可能にするというものである。
【発明を実施するための最良の形態】
【００２５】
以下本発明の実施の形態の一例を図面に基づいて説明する。以下に示す実施形態は、あくまで本発明の一例であり、本発明を以下の実施形態に限定するものではない。
実施形態１
図１は、本発明に係るスライド式ヒンジ機構の実施形態の一例を説明するための部品展開図である。
本実施形態１に係るスライド型ヒンジ機構は、図示しない第１筐体用スライド部材１２と第２筐体用スライド部材１１とをねじりトーションばね１４を用いて連接したものである。
ここで第１筐体用スライド部材１２は、ステンレス製薄板をプレス加工若しくは樹脂製で成形し、ねじりトーションばね１４の固定用ピン１５が挿入固定される穴２１、磁石１６を取り付ける穴２２、キーボードが付いた第１筐体３にねじ等で固定するための穴２３、潤滑用樹脂ガイド１３を固着するための円弧状部２６が設けられている。
【００２６】
第２筐体用スライド部材１１は、ステンレス製薄板をプレス加工で成形し、液晶部を備えた第２筐体２にねじ等で固定するための穴１８、スライド域の上下限を決定するストッパーピン１９、ねじりトーションばね１４の固定用ピン１５が挿入固定される穴２０、磁石１７を取り付ける穴２４、及び両側には滑り面２８が設けられている。なおステンレス部材１１、１２は、非磁性材料が望ましい。
【００２７】
また永久磁石１６及び１７は薄板の上下面にＮ、Ｓ磁極が着磁されている。ねじりトーションばね１４は、両端に丸フック２５が設けられ、このフック２５は固定ピン１５の軸径に外挿固定された際に回転が可能な内径を有している。
潤滑用樹脂ガイド１３は、第２筐体用スライド部材１１の両側のすべり面２８が内嵌する凹部状に形成されている。なお磁石の取り付けは、穴２２、２４を省略し第１及び第２スライド部材１１，１２に接着剤、粘着テープ等で固着しても良い。
【００２８】
実施形態２
図２は、磁石を使用してスライド可能域の中間に第３固定位置を新たに設置した本実施形態２に係るスライド型ヒンジ機構の構成と動きを示す平面概念図である。実施形態１と同じ機能を有する部材については同じ符号を用いる。
図１に示す如く、第１筐体用スライド部材１２と第２筐体用スライド部材１１には、潤滑用樹脂ガイド１３、磁石１６，１７がセットされる。
【００２９】
次に第１筐体用スライド部材１２の両側にセットされた潤滑用樹脂ガイド１３の溝２７に第２筐体用スライド部材１１の滑り面２８を内嵌する。この後スライド域を制限するス
トッパー１９、スライドアシスト力を発生するためのトーションばね１４の両端フック２５を固定ピン１５で固定する。この作業でスライド型ヒンジ機構の組立は完成する。
図２において、説明の為に本来第１筐体用スライド部材１２の下に配置され一部又は全部が視認できないトーションばね１４をハッチングにて示している。
【００３０】
本実施形態１に係るスライド型ヒンジ機構では、本機構を携帯電話に組み込む際に、第２筐体用スライド部材１１に液晶部を備えた第２筐体２を固着し、更に第１筐体用スライド部材１２にキーボードを備えた第１筐体３を固着する。もちろん筐体用スライド部材と筐体の組み合わせを逆に固着しても何らの問題も無い。
図２（ａ）において、図示しない第１筐体３と第２筐体２が閉じた第１固定位置にある。この際、第１筐体用スライド部材１２は、トーションばね２０のアシスト力により第２筐体用スライド部材１１に設置されたストッパー１９に押し付けられている。
【００３１】
図２（ａ）において、磁石１６、１７は、第１および第２筐体用スライド部材１１，１２の各々にスライド移動方向に対して直角に配置され、先ず２つの磁石の表面が互いにＮ磁極及びＳ磁極を示すように並列に配置された後、更にスライド部材１１，１２の間に配置された磁石間には吸引力が働くようにＮ磁極及びＳ磁極が対極して配置されている。図には記載されていないが、第１筐体用スライド１２に設置されている磁石１６の磁極は、磁石１７と対面する側がそれぞれ表記とは逆のＳ，Ｎ極に着磁されている。
より具体的には、磁石１６においてはＮ極が下面側に配置され、磁石１７においてはＳ極が上面側に配置されている。もちろん、磁極の配置は前記の逆であっても良い。
【００３２】
図２（ｂ）は、図示しない第１筐体３と第２筐体２が中間の第３固定位置にあり、第１筐体用スライド部材１２と第２筐体用スライド部材１１に設置された磁石１６、１７間の吸引力が働いて移動が停止している様子を示す。この際、ばね１４は取り付け位置２０，２１の距離が最小になり且つ最大の荷重を発生するが、逆にアシスト力が最小になる遷移点に位置するように設計されている。
次に図２（ｃ）は、第１筐体３と第２筐体２が開いた第２固定位置にある状態を示す。第１筐体用スライド部材１２がトーションばね２０のアシスト力により第２筐体用スライド部材１１に設置されたストッパー１９に押し付けられている様子を示す。なお、閉じる場合は上記と逆の動きとなる。
【００３３】
実施形態３
図３は、磁石を使用してスライド可能域の中間に第３固定位置を新たに設置した横型携帯電話用のスライド型ヒンジ機構の構成と動きを示す平面概念図である。図３は、液晶部が大型で重い横型携帯電話についての利用形態を示すもので、大きなアシスト力と第３固定位置での吸引力を確保する必要からトーションばねを４組、磁石セットを左右に２組使用した例である。ばね１４は、本来第１筐体用スライド部材１２の下に配置され全体が視認されないが、説明の便宜上ハッチングにて示した。また実施形態１及び２と同じ機能を有する部材については、図１及び図２と符号を用いる。
【００３４】
図３（ａ）は第１筐体用スライド部材１２が第３固定位置の中心線から距離Ａだけ離れた第１固定位置に配置された状態を示す。次に（ｂ）は第１筐体用スライド部材１２が中間の第３固定位置に配置された状態を示す。更に（ｃ）は第１筐体用スライド部材１２が完全に開いた場合で第３固定位置の中心線から距離Ｂだけ離れ、第２固定位置に配置された状態を示す。図３に示すヒンジのスライド可能域は、（Ａ＋Ｂ）である。
【００３５】
実施形態２においては、第１筐体用スライド部材１２が第２筐体用スライド部材１１に対して閉じた位置から図（ａ）→（ｂ）→（ｃ）の順で開く、若しくは逆の順序で閉じる動きについて説明をした。
ここで図３の中間の第３固定位置（ｂ）を閉じた配置状態を出発位置とすると、第１筐体用スライド部材１２はＡとＢだけ離れた図（ａ）と図（ｃ）が第１および第２固定位置で全開した位置となり新たな利用形態を提供することができる。
図２において、第３固定位置はスライド域の中間として説明した。この第３固定位置は、ばね１４に関し足の長さ、曲げ角度、取り付け位置の変更で、磁石は取り付け位置を変更することでＡとＢの距離が異なる新しい位置にずらすことは可能である。
例えば、図５（ｃ）から（ｄ）への移動と、（ｃ）から（ｅ）への移動を可能にすることによって、操作部の配置形態などのバリエーションを増加することが可能となる。
【図面の簡単な説明】
【００３６】
【図１】実施形態１に係るスライド型ヒンジ機構を説明するための分解斜視図である。
【図２】実施形態２に係るスライド型ヒンジ機構を説明するための平面概念図である。
【図３】実施形態３に係るスライド型ヒンジ機構を説明するための平面概念図である。
【図４】本発明に係るスライド型ヒンジ機構の移動距離とアシスト力の説明をするための概念図である。
【図５】従来又は本発明に係る携帯電話機を示す斜視図である。図５（ａ）及び（ｂ）は従来型のスライド型携帯電話を示し、（ｃ）、（ｄ）及び（ｅ）は実施形態３に係るスライド型ヒンジ機構の動きの一例を示す図である。
【符号の説明】
【００３７】
１    スライド型携帯電話
２    液晶部を備えた第２筐体
３    キーボードを備えた第１筐体
１１  第２筐体用スライド部材
１２  第１筐体用スライド部材
１３  潤滑用樹脂ガイド
１４  ねじりトーションばね
１５  ばね固定用ピン
１６，１７  Ｎ，Ｓ磁極を有する永久磁石
１９  ストッパー
【図１】
2010154439.tif 000003
【図２】
2010154439.tif 000004
【図３】
2010154439.tif 000005
【図４】
2010154439.tif 000006
【図５】
2010154439.tif 000007
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
操作部を備えた第１筐体と画像を表示する液晶部を備えた第２筐体とをスライド型ヒンジによって連接したスライド型ヒンジ機構であって、前記スライド型ヒンジが少なくとも弾性体と磁石とを有し、前記第１筐体と前記第２筐体とが相対移動を可能にすると共に該第１筐体と第２筐体とが完全に閉じられた第１固定位置から該第２筐体を全開にする第２固定位置までのスライド可能域に対し、前記第２筐体がスライド可能域の中間位置で一時的に固定される第３固定位置が新たに付加されることを特徴とするスライド型ヒンジ機構。
【請求項２】
操作部を備えた第１筐体と画像を表示する液晶部を備えた第２筐体とをスライド型ヒンジによって連接したスライド型ヒンジ機構であって、前記スライド型ヒンジが少なくとも弾性体と磁石とを有し、前記第１筐体と前記第２筐体とが相対移動を可能にすると共に該第１筐体と第２筐体とが第１固定位置から第２固定位置までスライド可能であり、該スライド可能域に対し、前記第２筐体がスライド可能域の中間位置で一時的に固定される第３固定位置が新たに付加され、該第３固定位置が第１筐体と第２筐体とが完全に閉じられた位置であることを特徴とするスライド型ヒンジ機構。
【請求項３】
前記弾性体としてはトーションばねを使用し、前記スライド型ヒンジの第１筐体が第１筐体用スライド部材を、第２筐体が第２筐体用スライド部材を有し、前記第１筐体用スライド部材と第２筐体用スライド部材の夫々に前記トーションばねの端部を回転可能に係止し、前記第３固定位置を該トーションばねによる反発力がスライド可能域において最大となる位置に設定し、当該位置に前記第１筐体用スライド部材と第２筐体用スライド部材に対して相互に吸引力を発揮するようにＮ，Ｓ磁極が対面して配置された磁石を設置したことを特徴とする請求項１又は２記載のスライド型ヒンジ機構。
【請求項４】
前記磁石は、保磁力（Ｈcj）が８００ＫＡ／ｍ（１０ｋＯｅ）以上で、長方体形状であって、板厚方向の上下面にＮおよびＳ磁極が着磁されていることを特徴とする請求項１乃至３のいずれか一に記載したスライド型ヒンジ機構。
【請求項５】
前記磁石は、第１筐体及び第２筐体の移動方向に対して直角に長方体の磁石を対面してお互いがＮ磁極及びＳ磁極を有するように配置し、吸引力を発揮するように構成したことを特徴とする請求項１乃至４のいずれか一に記載したスライド型ヒンジ機構。
【請求項６】
前記磁石は、第１筐体及び第２筐体の移動方向に対して直角に２体の長方体形状の磁石を並列に配置し、その２つの磁石表面が互いにＮ磁極及びＳ磁極を示す配置とし、前記第１筐体及び第２筐体に配置された前記磁石間でＮ磁極及びＳ磁極を対面して配置することによって、吸引力が発揮されるようにしたことを特徴とする請求項１乃至４のいずれか一に記載したスライド型ヒンジ機構。
【手続補正２】
【補正対象書類名】明細書
【補正対象項目名】００１２
【補正方法】変更
【補正の内容】
【００１２】
（１）操作部を備えた第１筐体と画像を表示する液晶部を備えた第２筐体とをスライド式ヒンジによって連接したスライド型ヒンジ機構であって、前記スライド式ヒンジが少なく
とも弾性体と磁石とを有し、前記第１筐体と前記第２筐体とが相対移動を可能にすると共に該第１筐体と第２筐体とが完全に閉じられた第１固定位置から該第２筐体を全開にする第２固定位置までのスライド可能域に対し、前記第２筐体がスライド可能域の中間位置で一時的に固定される第３固定位置が新たに付加されることを特徴とするスライド型ヒンジ機構である。
（２）操作部を備えた第１筐体と画像を表示する液晶部を備えた第２筐体とをスライド型ヒンジによって連接したスライド型ヒンジ機構であって、前記スライド型ヒンジが少なくとも弾性体と磁石とを有し、前記第１筐体と前記第２筐体とが相対移動を可能にすると共に該第１筐体と第２筐体とが第１固定位置から第２固定位置までスライド可能であり、該スライド可能域に対し、前記第２筐体がスライド可能域の中間位置で一時的に固定される第３固定位置が新たに付加され、該第３固定位置が第１筐体と第２筐体とが完全に閉じられた位置であることを特徴とするスライド型ヒンジ機構である。
本発明に用いられる弾性体としては、スライドアクチュエータを構成できるものであれば、いずれの弾性体を用いても良い。例えば、中央にフープを有するねじりトーションばねや、中央のフープが省略されたトーションばね、あるいは圧縮や引張コイルばね等が挙げられる。
【手続補正３】
【補正対象書類名】明細書
【補正対象項目名】００１３
【補正方法】変更
【補正の内容】
【００１３】
（３）前記弾性体としてはトーションばねを使用し、前記スライド式ヒンジの第１筐体が第１筐体用スライド部材を、第２筐体が第２筐体用スライド部材を有し、前記第１筐体用スライド部材と第２筐体用スライド部材の夫々に前記トーションばねの端部を回転可能に係止し、前記第３固定位置を該トーションばねによる反発力がスライド可能域において最大となる位置に設定し、当該位置に前記第１筐体用スライド部材と第２筐体用スライド部材に対して相互に吸引力を発揮するようにＮ，Ｓ磁極が対面して配置された磁石を設置したことを特徴とする上記（１）又は（２）に記載のスライド型ヒンジ機構である。
（４）前記磁石は、保磁力（Ｈcj）が８００ＫＡ／ｍ（１０ｋｏｅ）以上で、長方体形状であって、板厚方向の上下面にＮおよびＳ磁極が着磁されていることを特徴とする上記（１）〜（３）の何れか一に記載したスライド型ヒンジ機構である。
ここで、長方体形状の磁石における板厚は、１ｍｍ以下であるのが好ましい。
【手続補正４】
【補正対象書類名】明細書
【補正対象項目名】００１４
【補正方法】変更
【補正の内容】
【００１４】
（５）前記磁石は、第１及び第２筐体用スライド部材の移動方向に対して直角に長方体の磁石を対面してお互いがＮ磁極及びＳ磁極を有するように配置し、吸引力を発揮するように構成したことを特徴とする上記（１）乃至（４）のいずれか一に記載したスライド型ヒンジ機構である。
（６）前記磁石は、第１及び第２筐体用スライド部材の移動方向に対して直角に２体の長方体形状の磁石を並列に配置し、その２つの磁石表面が互いにＮ磁極及びＳ磁極を示す配置とし、前記第１及び第２筐体用スライド部材に配置された前記磁石間でＮ磁極及びＳ磁極を対面して配置することによって、吸引力が発揮されるようにしたことを特徴とする上記（１）乃至（４）のいずれか一に記載したスライド型ヒンジ機構である。